(57)【特許請求の範囲】
【請求項１】
部屋の天井裏に埋め込んで取り付けられ、下面に天井板の開口部に対応する吸込口を有し、側面に吐出口を有する本体フレームと、前記本体フレームの天面に固定されたＤＣモーターに駆動される前記本体フレーム内部に設けられた遠心送風ファンおよび前記遠心送風ファンを包囲するファンケーシングと、前記本体フレームの下面開口部を部屋側から覆って着脱自在に装着される化粧パネルと、前記本体フレームの天面に装着され、前記ＤＣモーターを駆動制御する制御回路と前記制御回路を収納した回路ケースとを備え、前記ＤＣモーターには前記制御回路との接続を行うコネクター接続部を備え、前記コネクター接続部を前記天面に対して垂直方向上向きに設け、前記コネクター接続部およびコネクターの上方を完全に覆うカバーを備えたものであって、前記カバーが、前記回路ケースと、一体に形成されていることを特徴とする天井埋込形換気扇。
【発明の詳細な説明】
【技術分野】
【０００１】
本発明は、天井裏に設置し屋外と連通するダクトに接続され、天井に設けた開口に埋め込まれ、室内の換気を行うＤＣモーターを搭載した換気装置に関する。
【背景技術】
【０００２】
従来、この種の天井埋込形換気扇には、本体フレームの内部に、下面に吸込口と側面に吐出口を有したファンケーシングを設け、本体フレームの天面にＤＣモーターとそれを駆動制御する制御回路を設けたものが知られている（例えば、特許文献１、２参照）。
【０００３】
以下、その天井埋込形換気扇について図６および図７を参照しながら説明する。
【０００４】
図６に示すように、本体フレームの１０１内部に、下面に吸込口を有したファンケーシング１０２と遠心送風ファン１０３を設け、本体フレーム１０１の天面に天板１０４とＤＣモーター１０５およびＤＣモーター１０５を駆動制御する制御回路を収納した回路ケース１０６を備え、また、図７に示すようにＤＣモーター１０５に設けた、図６に示す回路ケース１０６に内包されている制御回路と接続するためのコネクター接続部１０７が、図６に示す天板１０４に対して平行に向けて設けているものである。
【先行技術文献】
【特許文献】
【０００５】
【特許文献１】特開２０１０−１６４２０２号公報
【特許文献２】特開２０１０−１６４２５３号公報
【発明の概要】
【発明が解決しようとする課題】
【０００６】
このような従来の天井埋込形換気扇においては、天井埋込形換気扇にＤＣモーターを搭載している場合、ＤＣモーターを制御する制御回路が必要であり、その制御回路は複雑で大きいため、本体フレームの内部のスペースに装着することができないという課題があり、さらに、天井埋込形換気扇のサイズダウンが求められる中で、本体フレームの天面上の面積自体が狭くなってしまい、回路ケースを天面に装着しづらい、という課題を有していた。
【０００７】
そこで本発明は、上記従来の課題を解決するものでありＤＣモーターを制御するための制御回路を、本体フレームの天面上に装着しやすくすることができる天井埋込形換気扇を提供することを目的とする。
【課題を解決するための手段】
【０００８】
そして、この目的を達成するために、部屋の天井裏に埋め込んで取り付けられ、下面に天井板の開口部に対応する吸込口を有し、側面に吐出口を有する本体フレームと、前記本体フレームの天面に固定されたＤＣモーターに駆動される前記本体フレーム内部に設けられた遠心送風ファンおよび前記遠心送風ファンを包囲するファンケーシングと、前記本体フレームの下面開口部を部屋側から覆って着脱自在に装着される化粧パネルと、前記本体フレームの天面に装着され、前記ＤＣモーターを駆動制御する制御回路と前記制御回路を収納した回路ケースとを備え、前記ＤＣモーターには前記制御回路との接続を行うコネクター接続部を備え、前記コネクター接続部を前記天面に対して垂直方向上向きに設けているとしたものであり、これにより所期の目的を達成するものである。
【発明の効果】
【０００９】
本発明によれば、コネクター接続部を天面に対して垂直方向上向きに設けているという構成にしたことにより、コネクターが天面に対して水平方向ではなく、垂直方向となる上向きになっていることで、コネクター差込時にコネクターが天板に対して垂直方向に向くため、天面上の面積を減らすこととなるので、ＤＣモーターを制御するための制御回路を、本体フレーム天面上のスペースに装着することができるという効果を得ることができる。
【図面の簡単な説明】
【００１０】
【図１】本発明の実施の形態１の天井埋込形換気扇の構成を示す分解図
【図２】同天井埋込形換気扇の構成を示す上面図
【図３】同天井埋込形換気扇のＤＣモーターのコネクター接続部を示す断面図
【図４】同天井埋込形換気扇のＤＣモーターの斜視図
【図５】同天井埋込形換気扇の回路ケースの構成を示す分解図
【図６】同天井埋込形換気扇のコネクター接続部の高さを示す詳細図
【図７】同天井埋込形換気扇の回路ケースの内部の構成を示す斜視図
【図８】従来の天井埋込形換気扇を示す分解図
【図９】従来の天井埋込形換気扇のＤＣモーターを示す分解図
【発明を実施するための形態】
【００１１】
本発明の天井埋込形換気扇は、部屋の天井裏に埋め込んで取り付けられ、下面に天井板の開口部に対応する吸込口を有し、側面に吐出口を有する本体フレームと、前記本体フレームの天面に固定されたＤＣモーターに駆動される前記本体フレーム内部に設けられた遠心送風ファンおよび前記遠心送風ファンを包囲するファンケーシングと、前記本体フレームの下面開口部を部屋側から覆って着脱自在に装着される化粧パネルと、前記本体フレームの天面に装着され、前記ＤＣモーターを駆動制御する制御回路と前記制御回路を収納した回路ケースとを備え、前記ＤＣモーターには前記制御回路との接続を行うコネクター接続部を備え、前記コネクター接続部を前記天面に対して垂直方向上向きに設けているという構成を有する。これにより、コネクター接続部が天板に対して水平方向ではなく、垂直方向となる上向きになっているため、コネクター差込時にコネクターは天板に対して垂直方向に向くため、天面上の面積を減らすこととなるので、ＤＣモーターを制御するための制御回路を、本体フレーム天面上のスペースに装着することができるという効果を奏する。
【００１２】
また、コネクター接続部およびコネクターの上方を完全に覆うカバーを備えたという構成にしてもよい。これにより、コネクター接続部をカバーで覆うことで、天井からの結露水が滴下してきても、先にカバーに結露水が付着するため、直接コネクター接続部に結露水が付着しないようにすることとなるので、電気的接続部に対して、トラッキング等の不安全事項が発生しなくなり、安全性が向上するという効果を奏する。
【００１３】
また、カバーが、回路ケースと一体に形成されているという構成にしてもよい。これにより、一体にすることで、カバーの側面部分を回路ケースと共用できるため余分なスペースを削減することができ、また、継ぎ目等の隙間もなくなるため、水の浸入を完全に防ぐこととなるので、余分なスペースをなくすことができるため、ＤＣモーターを制御するための制御回路を、本体フレーム天面上のスペースに装着することができるという効果を奏する。
【００１４】
以下、本発明の実施の形態について図面を参照しながら説明する。
【００１５】
（実施の形態１）
図１に示すように、部屋の天井裏に埋め込んで取り付けられ、下面に天井板の開口部に対応する吸込口１を有し、側面に吐出口２を有する本体フレーム３と、本体フレーム３の天面４に固定されたＤＣモーター５に駆動される、遠心送風ファン６および遠心送風ファン６を包囲するファンケーシング７と、本体フレーム３の下面開口部を部屋側から覆って着脱自在に装着される化粧パネル８と、天面４に装着され、ＤＣモーター５を駆動制御する制御回路９を収納した回路ケース１０を備え、ＤＣモーター５には制御回路９との接続を行うコネクター接続部１１を設けている構成とする。
【００１６】
また、図２に示すように、ＤＣモーター５にネジ部１２を設け、コネクター接続部１１とＤＣモーター５の中心を結ぶ線と、２箇所のネジ部１２を結ぶ直線が直行する位置にネジ部１２を配置し、ＤＣモーター５はネジ部１２にて天面４に２本のネジを用いて固定される構成とする。また、ＤＣモーター５の周囲をコの字型に囲うように制御回路９の形状を形成し、制御回路９に設けられたコネクター部１３が、ＤＣモーター５のコネクター接続部１１の近傍に配置される構成とする。また、制御回路９と同様の形状に回路ケース１０は形成され、対角線上に２箇所のネジ止め部１４を遠心送風ファン６の外形よりも外側に来るように配置し、それによって天面４にネジを用いて固定されるものとする。また、ＤＣモーター５は、回路ケース１０の直線部１５に対して斜め向きに取りつけられ、回路ケース１０はＤＣモーター５との隙間を可能な限り小さくし、回路ケース１０は上面から見た際の投影面積が天面４より小さく、天面４の中に納まるように構成される。
【００１７】
また、図３および図４に示すように、ＤＣモーター５に設けたコネクター接続部１１は、天面４に設置した際に、天面４に対して垂直方向上向き（図３に矢印にて図示）になるように設けられた４本のコネクターピン１６と、係止部１７を有し、それらを用いて制御回路９のコネクター部１３とコネクターを用いて接続がなされる構成とする。
【００１８】
また、図５に示すように、回路ケース１０を本体フレーム３の天面４側の下部ケース１９と上部ケース２０からなる構成とし、下部ケース１９と上部ケース２０は、下部ケース１９に設けられた下部係止部２１と、上部ケース２０に設けられた上部係合部２２を係合させることで固定されている構成とし、下部係止部２１と上部係合部２２を回路ケース１０の外側に設けた構成とする。
【００１９】
また、図２に示すように、コネクター接続部１１および接続されたコネクターの上方を覆うカバー１８を備え、図６および図７に示すように、カバー１８が回路ケース１０の上部ケース２０と側壁２５を共有し、一体に形成される構成とする。また、カバー１８は側面部２６を備え、側面部２６はＤＣモーター５の周囲を囲うように設けられる構成とする。
【００２０】
また、回路ケース１０とカバー１８の高さを同じ高さとし、コネクター接続の際にコネクター接続用のリード線に無理な屈曲を加えないように、回路ケース１０およびカバー１８の高さを、天面から、コネクター２３から露出しているリード線２４の根元までの高さＨ（図６に図示）の、およそ１．５倍に設ける構成とする。
【００２１】
このような構成によれば、コネクター接続部１１が天面４に対して水平方向ではなく、垂直方向となる上向きになっているため、コネクター差込時にコネクターは天面４に対して垂直方向に向くため、天面４上の面積を減らすことができるので、ＤＣモーター５を制御するための制御回路９を、本体フレーム３の天面４上のスペースに装着することができる。
【００２２】
また、コネクター接続部１１をカバー１８で覆うことで、例えば、天井からの結露水が滴下してきても、先にカバー１８に結露水が付着するため、直接コネクター接続部１１に結露水が付着しないようにすることができ、また、カバー１８がＤＣモーター５の周囲を覆うことで、ＤＣモーター５の上方以外から結露水が流れ込もうとしても、コネクター接続部１１に水が付着しないようにすることができることとなるので、電気的接続部に対して、トラッキング等の不安全事項が発生しなくなり、安全性が向上する。
【００２３】
また、回路ケース１０とカバー１８を一体にすることで、カバー１８の側面部分を回路ケース１０と共用できるため余分なスペースを削減することができる。また、継ぎ目等の隙間もなくなるため、水の浸入を完全に防ぐことができるため、余分なスペースをなくすことができ、ＤＣモーター５を制御するための制御回路９を、本体フレーム３の天面４上のスペースに装着することができる。
【００２４】
また、回路ケース１０が上面から見た投影面積で天面４よりも小さくなっているため、ＤＣモーター５を天面４と共に、室内側からファンケーシング７と一体に取り外すことができることとなるので、モーター交換等の際に容易にＤＣモーター５を取り外すことができ、メンテナンス性が向上することとなる。
【００２５】
また、回路ケース１０のネジ止め部１４を遠心送風ファン６の外形よりも外側に来るように配置することにより、回路ケース１０を固定するネジの、羽根当たりを防ぐことができるので、安全性が向上することとなる。
【００２６】
また、下部係止部２１と上部係合部２２を回路ケース１０の外側に設けることで、ＤＣモーター５と回路ケース１０の隙間の距離を狭くすることができ、天面４上の面積を減らすことができることとなり、ＤＣモーター５を制御するための制御回路９を、本体フレーム３の天面４上のスペースに装着することができる。
【００２７】
また、回路ケース１０とカバー１８を同じ高さに形成することで、樹脂成形が容易になり、また、回路ケース１０とカバー１８の上面をフラットにすることができるので、回路ケース１０の上面にラベルを貼ることや、刻印を表示することができる。
【００２８】
また、カバー１８がコネクター接続部１１に接続されたコネクター２３およびリード線２４を上方および側面から覆うことで、天井裏においてねずみ等にかじられることをなくすことができるため、漏電等の不安全事項が発生しなくなり、安全性を向上させることができる。
【産業上の利用可能性】
【００２９】
本発明にかかる天井埋込形換気扇は、ＤＣモーターを制御するための制御回路を、本体フレーム天面上のスペースに装着することを可能とするものであるので、天井裏に設置し屋外と連通するダクトに接続され、天井に設けた開口に埋め込まれ、室内の換気を行う換気装置等として有用である。
【符号の説明】
【００３０】
１    吸込口
２    吐出口
３    本体フレーム
４    天面
５    ＤＣモーター
６    遠心送風ファン
７    ファンケーシング
８    化粧パネル
９    制御回路
１０  回路ケース
１１  コネクター接続部
１８  カバー
【図１】
0005786123.tif 000002
【図２】
0005786123.tif 000003
【図３】
0005786123.tif 000004
【図４】
0005786123.tif 000005
【図５】
0005786123.tif 000006
【図６】
0005786123.tif 000007
【図７】
0005786123.tif 000008
【図８】
0005786123.tif 000009
【図９】
0005786123.tif 000010